(57)【要約】【課題】複数のボードコンピュータとこれらを管理するためのコンピュータをデータバスで互いに接続して筐体に収容したコンピュータシステムにおいて、ボードコンピュータを新規に接続或いは他のボードコンピュータに接続したときに行なうボードコンピュータの設定作業を自動化する。【解決手段】管理モジュールと管理対象モジュールの間を接続する第1の信号線を設ける。一端が識別子設定手段に接続され、他端が第1の信号線と一組になって管理対象モジュールに接続される識別子信号線を設ける。第1の信号線及び識別子信号線が管理対象モジュールに接続されると、管理対象モジュールは設定に関する情報を管理モジュールから受信し、その情報に基づいて自身を設定する。【選択図】図３
2014203092.tif 000002
【特許請求の範囲】
【請求項１】
それぞれが管理対象となるコンピュータである管理対象モジュール、
前記管理対象モジュールを管理するコンピュータである管理モジュール、
一端が前記管理モジュールに接続された第１の信号線であって、他端が前記管理対象モジュールの一台に接続されるための前記第１の信号線、
前記第１の信号線を互いに識別するための識別子を設定するための識別子設定手段、
一端が前記識別子設定手段に接続された識別子信号線であって、他端が一本の第１の信号線と一組となって管理対象モジュールの一台に接続されるための前記識別子信号線、
前記第１の信号線及び前記識別子信号線の一組が、一台の管理対象モジュールに接続されたとき、前記識別子信号線に接続された前記識別子設定手段から前記識別子を読み出すために、前記管理対象モジュールに設けられた前記識別子読取手段、
前記第１の信号線に管理対象モジュールが接続されたことに係る通知を、当該管理対象モジュールの前記識別子読取手段による前記識別子の読み出しに応じて、前記第１の信号線を介して前記管理モジュールに送信するために、前記管理対象モジュールに設けられた状態通知手段、
管理対象モジュールが接続された第１の信号線に応じて定められる、管理対象モジュールの設定に関する情報を、前記通知の受信に応じて前記通知の送信元である管理対象モジュールに対して送信するために、管理モジュールに設けられた設定送信手段、及び、
管理モジュールから受信した前記設定に関する情報に基づいて管理対象モジュールを設定するために、前記管理対象モジュールに設けられた手段
を備えることを特徴とするコンピュータシステム。
【請求項２】
前記設定に関する情報は、管理対象モジュール毎に異なる設定に関する情報を含み、
前記管理対象モジュールは、前記識別子取得手段にて取得した識別子に応じて、前記設定に関する情報の中から自管理対象モジュールの設定に関する情報を抽出する設定抽出手段を備える
ことを特徴とする請求項１に記載のコンピュータシステム。
【請求項３】
一端が前記管理モジュールに接続された第２の信号線であって、他端が前記管理対象モジュールの一台に接続されるための前記第２の信号線を備え、
前記設定に関する情報は、前記第２の信号線を介して構成されるネットワークにおける各管理対象モジュールのアドレスを含み、
前記設定抽出手段は、前記設定に関する情報から抽出した前記アドレスを前記管理対象モジュールに設定し、
前記管理対象モジュールは、設定されたアドレスに基づいて、前記第２の信号線を介して、前記管理モジュールと通信を行う
ことを特徴とする請求項２に記載のコンピュータシステム。
【請求項４】
前記管理モジュールは、前記管理対象モジュールの設定に関する情報を、前記第２の信号線を介して前記管理対象モジュールに送信する手段を備え、
前記管理対象モジュールは、前記第２の信号線を介して受信した前記設定に関する情報に基づいて、自管理対象モジュールの設定を行なう手段を備える
ことを特徴とする請求項３に記載のコンピュータシステム。
【請求項５】
それぞれが管理対象となるコンピュータである管理対象モジュールと、前記管理対象モジュールを管理するコンピュータである管理モジュールとを含んで構成されるコンピュータシステムの管理モジュールとして動作する装置であって、
前記管理対象モジュールの一台と前記管理モジュールとの間を接続するための第１の信号線、及び、前記管理対象モジュールと、前記第１の信号線を識別可能な識別子を設定した識別子設定手段とを接続するための識別子信号線を含む一組の信号線を、一台の管理対象モジュールに接続したことに係る通知を、前記一台の管理対象モジュールから受信する手段、及び、
前記一台の管理対象モジュールが接続された第１の信号線に応じて定められる、管理対象モジュールの設定に関する情報を、前記通知の受信に応じて前記通知の送信元である前記一台の管理対象モジュールに対して送信する手段
を備え、
前記一台の管理対象モジュールは、受信した前記設定に関する情報に基づいて自身の設定を行なう装置。
【請求項６】
それぞれが管理対象となるコンピュータである管理対象モジュールと、前記管理対象モジュールを管理するコンピュータである管理モジュールとを含んで構成されるコンピュータシステムの管理対象モジュールとして動作する装置であって、
一端が前記管理モジュールに接続される第１の信号線を接続するためのインタフェース、
前記第１の信号線を互いに識別可能な識別子を設定した設定手段に一端が接続される識別子信号線であって、前記第１の信号線と一組になる前記識別子信号線が接続されて、前記設定手段から前記識別子を読み出す識別子読取手段、
前記識別子読取手段による前記識別子の読み出しに応じて、前記第１の信号線に接続されたことに係る通知を、前記第１の信号線を介して前記管理モジュールに送信する状態通知手段、
前記通知に応答して前記管理モジュールが送信した、前記管理対象モジュールの設定に関する情報を受信する手段、及び、
管理モジュールから受信した前記設定に関する情報に基づいて管理対象モジュールを設定する手段
を備えることを特徴とする装置。
【請求項７】
それぞれが管理対象となるコンピュータである管理対象モジュールと、前記管理対象モジュールを管理するコンピュータである管理モジュールとを含んで構成されるコンピュータシステムの管理モジュールとして動作するコンピュータで実行されるプログラムであって、
前記管理対象モジュールの一台と前記管理モジュールとの間を接続するための第１の信号線、及び、前記管理対象モジュールと、前記第１の信号線を識別可能な識別子を設定した識別子設定手段とを接続するための識別子信号線を含む一組の信号線を、一台の管理対象モジュールに接続したことに係る通知を、前記一台の管理対象モジュールから受信する手段、及び、
前記一台の管理対象モジュールが接続された第１の信号線に応じて定められる、管理対象モジュールの設定に関する情報を、前記通知の受信に応じて前記通知の送信元である前記一台の管理対象モジュールに対して送信する手段
としてコンピュータを機能させ、
前記一台の管理対象モジュールは、受信した前記設定に関する情報に基づいて自身の設定を行なう、
ことを特徴とするプログラム。
【請求項８】
それぞれが管理対象となるコンピュータである管理対象モジュールと、前記管理対象モジュールを管理するコンピュータである管理モジュールとを含んで構成されるコンピュータシステムの管理対象モジュールとして動作するコンピュータで実行されるプログラムであって、
一端が前記管理モジュールに接続され、他端が前記管理対象モジュールのいずれかに接続される第１の信号線を互いに識別可能な識別子を設定した設定手段から、前記第１の信号線と一組になる識別子信号線を介して、前記識別子を読み出す識別子読取手段、
前記識別子読取手段による前記識別子の読み出しに応じて、前記第１の信号線に接続されたことに係る通知を、前記第１の信号線を介して前記管理モジュールに送信する状態通知手段、
前記通知に応答して前記管理モジュールが送信した、前記管理対象モジュールの設定に関する情報を受信する手段、及び、
管理モジュールから受信した前記設定に関する情報に基づいて管理対象モジュールを設定する手段
としてコンピュータを機能させるためのプログラム。
【請求項９】
管理対象となるコンピュータである管理対象モジュールの一台に一端が接続され、前記管理対象モジュールを管理するコンピュータである管理モジュールに他端が接続される第１の信号線、及び、前記第１の信号線を互いに識別可能な識別子を設定した設定手段に一端が接続され、前記管理対象モジュールの一台に他端が接続される識別子信号線を含む信号線の一組が、一台の管理対象モジュールに接続される段階、
前記管理対象モジュールが前記識別子信号線に接続された前記設定手段から前記識別子を読み出す段階、
前記識別子の読み出しに応じて、前記第１の信号線に管理対象モジュールが接続されたことに係る通知を、前記管理対象モジュールから前記第１の信号線を介して前記管理モジュールに送信する段階、
管理対象モジュールが接続された第１の信号線に応じて定められる管理対象モジュールの設定に関する情報を、前記通知の受信に応じて、前記管理モジュールから前記通知の送信元である管理対象モジュールに対して送信する段階、
前記管理モジュールから受信した前記設定に関する情報に基づいて前記管理対象モジュールが自身を設定する段階
を含むことを特徴とするコンピュータ設定方法。
【発明の詳細な説明】
【技術分野】
【０００１】
本発明は一乃至複数の管理対象となるコンピュータと、これら管理対象となるコンピュータを管理するコンピュータからなるコンピュータシステムに関し、特に、管理対象となるコンピュータに対する設定に関する。
【背景技術】
【０００２】
ひとつの筐体に、複数のボードコンピュータと、これらを管理するためのコンピュータを収容し、これらの間をバックプレーンで互いに接続したコンピュータシステムが存在する。この種のコンピュータシステムには例えばブレードサーバがある。
【０００３】
ボードコンピュータは互いに通信可能ではあるものの、独立したコンピュータであり、ＯＳの種類やそのバージョン、そのＯＳ上で動作するアプリケーションプログラムは、そのコンピュータシステムの管理者が定めるボードコンピュータの運用目的に応じて、ボードコンピュータ毎に独立して定められる。また、同じＯＳ、同じアプリケーションプログラムを複数のボードコンピュータで動作させる場合であっても、ＯＳやアプリケーションに設定すべき各種のパラメータ値は、そのボードコンピュータの運用目的に応じてボードコンピュータ毎に独立して定められる。
【０００４】
この種のコンピュータシステムでは、ボードコンピュータを初めてバックプレーンに接続する状況や、現にバックプレーンに接続されているボードコンピュータでハードウェア障害が発生した等の理由により、他のボードコンピュータに交換する状況が発生することがある。こうした状況が発生すると、新規に接続する或いは交換するボードコンピュータに対し、その運用目的に応じた通信設定、アプリケーションプログラムのインストール、各種のパラメータ値の設定を行なう必要がある。
【０００５】
この種のコンピュータシステムではこの種の設定作業を人手で行なうことが多い。即ち、今までバックプレーンに接続したことのないボードコンピュータを初めてバックプレーンに接続する際には、事前或いは事後に、そのボードコンピュータに対して所望の通信設定、アプリケーションプログラムのインストール、各種パラメータ値の設定を、システム管理者等がキーボード等の入力装置を介して入力していた。
【０００６】
本発明に関連する発明が記載された文献として特許文献１を挙げる。同文献第００１５段落の記載によれば、インストール対象コンピュータ３０が「ハードウェアの構成情報にアクセスしブレードサーバの搭載位置を取得するドライバソフトウェア」を実行することにより、「サーバ搭載装置１０の搭載位置記憶装置１０２にアクセスし（ステップｃ）、当該コンピュータの搭載位置情報を取得する（ステップｄ）。」ことが記載されている。
【先行技術文献】
【特許文献】
【０００７】
【特許文献１】特開２００６−３３８２２５号公報
【発明の概要】
【発明が解決しようとする課題】
【０００８】
本発明はこのような状況に鑑みてなされたものであり、本発明が解決しようとする課題は、ひとつの筐体に、複数のボードコンピュータと、これらを管理するためのコンピュータを収容し、これらの間をデータバスで互いに接続したコンピュータシステムにおいて、ボードコンピュータを新規に接続或いは他のボードコンピュータに接続したときに行なうボードコンピュータの設定作業を自動化することである。
【課題を解決するための手段】
【０００９】
上述の課題を解決するため、本発明は、その一態様として、それぞれが管理対象となるコンピュータである管理対象モジュール、前記管理対象モジュールを管理するコンピュータである管理モジュール、一端が前記管理モジュールに接続された第１の信号線であって、他端が前記管理対象モジュールの一台に接続されるための前記第１の信号線、前記第１の信号線を互いに識別するための識別子を設定するための識別子設定手段、一端が前記識別子設定手段に接続された識別子信号線であって、他端が一本の第１の信号線と一組となって管理対象モジュールの一台に接続されるための前記識別子信号線、前記第１の信号線及び前記識別子信号線の一組が、一台の管理対象モジュールに接続されたとき、前記識別子信号線に接続された前記識別子設定手段から前記識別子を読み出すために、前記管理対象モジュールに設けられた前記識別子読取手段、前記第１の信号線に管理対象モジュールが接続されたことに係る通知を、当該管理対象モジュールの前記識別子読取手段による前記識別子の読み出しに応じて、前記第１の信号線を介して前記管理モジュールに送信するために、前記管理対象モジュールに設けられた状態通知手段、管理対象モジュールが接続された第１の信号線に応じて定められる、管理対象モジュールの設定に関する情報を、前記通知の受信に応じて前記通知の送信元である管理対象モジュールに対して送信するために、管理モジュールに設けられた設定送信手段、及び、管理モジュールから受信した前記設定に関する情報に基づいて管理対象モジュールを設定するために、前記管理対象モジュールに設けられた手段を備えることを特徴とするコンピュータシステムを提供する。
【００１０】
また、本発明は、他の一態様として、それぞれが管理対象となるコンピュータである管理対象モジュールと、前記管理対象モジュールを管理するコンピュータである管理モジュールとを含んで構成されるコンピュータシステムの管理モジュールとして動作する装置であって、前記管理対象モジュールの一台と前記管理モジュールとの間を接続するための第１の信号線、及び、前記管理対象モジュールと、前記第１の信号線を識別可能な識別子を設定した識別子設定手段とを接続するための識別子信号線を含む一組の信号線を、一台の管理対象モジュールに接続したことに係る通知を、前記一台の管理対象モジュールから受信する手段、及び、前記一台の管理対象モジュールが接続された第１の信号線に応じて定められる、管理対象モジュールの設定に関する情報を、前記通知の受信に応じて前記通知の送信元である前記一台の管理対象モジュールに対して送信する手段を備え、前記一台の管理対象モジュールは、受信した前記設定に関する情報に基づいて自身の設定を行なう装置を提供する。
【００１１】
また、本発明は、他の一態様として、それぞれが管理対象となるコンピュータである管理対象モジュールと、前記管理対象モジュールを管理するコンピュータである管理モジュールとを含んで構成されるコンピュータシステムの管理対象モジュールとして動作する装置であって、一端が前記管理モジュールに接続される第１の信号線を接続するためのインタフェース、前記第１の信号線を互いに識別可能な識別子を設定した設定手段に一端が接続される識別子信号線であって、前記第１の信号線と一組になる前記識別子信号線が接続されて、前記設定手段から前記識別子を読み出す識別子読取手段、前記識別子読取手段による前記識別子の読み出しに応じて、前記第１の信号線に接続されたことに係る通知を、前記第１の信号線を介して前記管理モジュールに送信する状態通知手段、前記通知に応答して前記管理モジュールが送信した、前記管理対象モジュールの設定に関する情報を受信する手段、及び、管理モジュールから受信した前記設定に関する情報に基づいて管理対象モジュールを設定する手段を備えることを特徴とする装置を提供する。
【００１２】
また、本発明は、他の一態様として、それぞれが管理対象となるコンピュータである管理対象モジュールと、前記管理対象モジュールを管理するコンピュータである管理モジュールとを含んで構成されるコンピュータシステムの管理モジュールとして動作するコンピュータで実行されるプログラムであって、前記管理対象モジュールの一台と前記管理モジュールとの間を接続するための第１の信号線、及び、前記管理対象モジュールと、前記第１の信号線を識別可能な識別子を設定した識別子設定手段とを接続するための識別子信号線を含む一組の信号線を、一台の管理対象モジュールに接続したことに係る通知を、前記一台の管理対象モジュールから受信する手段、及び、前記一台の管理対象モジュールが接続された第１の信号線に応じて定められる、管理対象モジュールの設定に関する情報を、前記通知の受信に応じて前記通知の送信元である前記一台の管理対象モジュールに対して送信する手段としてコンピュータを機能させ、前記一台の管理対象モジュールは、受信した前記設定に関する情報に基づいて自身の設定を行なう、ことを特徴とするプログラムを提供する。
【００１３】
また、本発明は、他の一態様として、それぞれが管理対象となるコンピュータである管理対象モジュールと、前記管理対象モジュールを管理するコンピュータである管理モジュールとを含んで構成されるコンピュータシステムの管理対象モジュールとして動作するコンピュータで実行されるプログラムであって、一端が前記管理モジュールに接続され、他端が前記管理対象モジュールのいずれかに接続される第１の信号線を互いに識別可能な識別子を設定した設定手段から、前記第１の信号線と一組になる識別子信号線を介して、前記識別子を読み出す識別子読取手段、前記識別子読取手段による前記識別子の読み出しに応じて、前記第１の信号線に接続されたことに係る通知を、前記第１の信号線を介して前記管理モジュールに送信する状態通知手段、前記通知に応答して前記管理モジュールが送信した、前記管理対象モジュールの設定に関する情報を受信する手段、及び、管理モジュールから受信した前記設定に関する情報に基づいて管理対象モジュールを設定する手段としてコンピュータを機能させるためのプログラムを提供する。
【００１４】
また、本発明は、他の一態様として、管理対象となるコンピュータである管理対象モジュールの一台に一端が接続され、前記管理対象モジュールを管理するコンピュータである管理モジュールに他端が接続される第１の信号線、及び、前記第１の信号線を互いに識別可能な識別子を設定した設定手段に一端が接続され、前記管理対象モジュールの一台に他端が接続される識別子信号線を含む信号線の一組が、一台の管理対象モジュールに接続される段階、前記管理対象モジュールが前記識別子信号線に接続された前記設定手段から前記識別子を読み出す段階、前記識別子の読み出しに応じて、前記第１の信号線に管理対象モジュールが接続されたことに係る通知を、前記管理対象モジュールから前記第１の信号線を介して前記管理モジュールに送信する段階、管理対象モジュールが接続された第１の信号線に応じて定められる管理対象モジュールの設定に関する情報を、前記通知の受信に応じて、前記管理モジュールから前記通知の送信元である管理対象モジュールに対して送信する段階、前記管理モジュールから受信した前記設定に関する情報に基づいて前記管理対象モジュールが自身を設定する段階を含むことを特徴とするコンピュータ設定方法を提供する。
【発明の効果】
【００１５】
本発明によれば、管理対象モジュールは、管理モジュールから受信した設定に関する情報に基づいて自身を設定するので、管理対象モジュールに設定を行う際に、コンピュータシステムの管理者等が手入力による設定作業を行なう必要がない。
【図面の簡単な説明】
【００１６】
【図１】本発明の一実施の形態であるコンピュータシステム１の筐体２の背面図である。
【図２】筐体２の内部における管理モジュール３と管理対象モジュール４１−４３との間のバックプレーン６を介した接続関係について説明するための図である。
【図３】管理モジュール３、管理対象モジュール４とID設定部９の接続関係を説明するための図である。
【図４】DIPSWを用いたID設定部９とID読取部４０１について説明するための図である。
【図５】管理モジュール３について説明するためのブロック図である。
【図６】通信設定ファイル格納部３０４に格納する通信設定ファイルの例である。
【図７】管理対象モジュール４について説明するためのブロック図である。
【図８】スロット設定テーブル格納部３０９に格納されるスロット設定テーブルの例である。
【図９】コンピュータシステム１において、スロット６に未装着の管理対象モジュール４をスロット６のいずれかに接続したときの動作について説明するためのフローチャートである。
【図１０】コンピュータシステム１において、スロット６に未装着の管理対象モジュール４をスロット６のいずれかに接続したときの動作について説明するためのフローチャートである。
【図１１】処理用プログラムを入れ替える際のコンピュータシステム１の動作について説明するためのフローチャートである。
【図１２】処理用プログラムの入れ替えを行なう場合にスロット設定テーブル格納部３０９に格納されるスロット設定テーブルの例である。
【発明を実施するための形態】
【００１７】
本発明の一実施の形態であるコンピュータシステム１について説明する。コンピュータシステム１は、図１に示すような略直方体の箱状の筐体２の中に、１台の管理モジュール３と、その管理下におかれるｎ個の管理対象モジュール４１、４２、…、４ｎ（ｎは自然数）を格納するものである。以下、管理対象モジュール４１〜４４のいずれにも当てはまることについては管理対象モジュール４と記す場合がある。同種の構成要素が複数存在するものについては他の構成要素でも同様である。説明を簡単にするため、本実施の形態では主にｎ＝３の場合について説明するが、ｎが他の数であっても同様である。尚、コンピュータシステム１は、以下に説明する各構成要素の他にも例えば電源装置等を備えるが、本発明の動作と直接の関係がないためここでは説明を省略する。
【００１８】
管理モジュール１は管理対象モジュール４を管理する制御装置であり、例えばRS-485インタフェースとLANインタフェースを備えるコンピュータである。
【００１９】
筐体２はその背面にｎ個のスロット５１、５２、…、５ｎを備え、管理対象モジュール４１、４２、…、４ｎはそれぞれ一のスロットに挿抜自在に取り付けられる。スロット５に挿入すると、管理対象モジュール４はデータバスであるバックプレーン６を介して管理モジュール３と電気的に接続される。
【００２０】
バックプレーン６には、LAN(Local Area Network)信号線７（７０、７１、…、７ｎ）と、RS-485信号線８（８０、８１、…、８ｎ）が含まれる。LAN信号線７は例えばイーサネット（登録商標）規格に定められた信号線であり、RS-485信号線８はシリアル通信の規格であるRS-485に定められた信号線である。
【００２１】
スロット５のそれぞれに、バックプレーン６に接続され、LAN信号線７、RS-485信号線８を収容するコネクタを備える。このコネクタは後述する管理対象モジュール４に設けられたコネクタに対応する。
【００２２】
更に、図３に示すように、コンピュータシステム１は、スロット５のそれぞれにID設定部９（９１、９２、…、９ｎ）を備える。ID設定部９はそれぞれID信号線１０（１０１、１０２、…、１０ｎ）を介して管理対象モジュール４に接続される。ID信号線１０はバックプレーン６の一部として構成されることが好ましいが、バックプレーン６とは独立した信号線として構成されてもよい。バックプレーン６の一部として構成する場合、上述のスロット５のそれぞれに設けるコネクタは、LAN信号線７及びRS-485信号線８と共にID信号線１０を収容することが好ましい。このように、一台の管理対象モジュールに対応するLAN信号線７、RS-485信号線８、ID信号線１０は一組となる。
【００２３】
ID設定部９はスロットを互いに識別するためにスロット毎に定められたIDを設定する手段であり、具体的には例えばDIPSW(Dual In-line Package SWitch)である。一般に、DIPSWはひとつのパッケージに複数のスイッチを並べた形状を有する。ID設定部９として用いる場合には、これら複数スイッチそれぞれのオンオフを二進法の１桁に対応させ、複数スイッチの全体で複数スイッチの数と同じ桁数の二進数とみなす。図４に示すように、DIPSWの各スイッチは管理対象モジュール４に設けたピンのひとつに接続される。
【００２４】
ID設定部９１、９２、…、９ｎには、それぞれ相異なるIDを設定する。このため、ID設定部９は、スロット５の個数以上の数、言い換えるとｎ以上の種類の値を出力可能である必要がある。例えば、ID設定部９としてDIPSWを用い、スロット数ｎ＝３の場合、３種類以上の値を出力するため、２２＝４通りを表現可能な２ピンのDIPSWを用いる。２ピンDIPSWの各スイッチのオンオフ状態とそのオンオフ状態が示すスロットとの対応関係の一例を表１に示す。
【００２５】
【表１】
2014203092.tif 000003
【００２６】
別の例として、スロット数ｎ＝９の場合、９種類以上の値を出力するため、２４＝１６通りを表現可能な４ピンのDIPSWを用いることになる。４ピンDIPSWの各スイッチのオンオフ状態とそのオンオフ状態が示すスロットとの対応関係の一例を表２に示す。
【００２７】
【表２】
2014203092.tif 000004
【００２８】
管理モジュール３について図５を参照して更に説明する。管理モジュール３は、RS-485 I/F部３０１、状態通知受信部３０２、通信設定送信部３０３、通信設定格納部３０４、LAN I/F部３０５、通信準備完了通知受信部３０６、スロット識別部３０７、スロット設定判定部３０８、スロット設定テーブル格納部３０９、処理用プログラムファイル格納部３１０、スロット設定送信部３１１、IPアドレス格納部３１２を備える。
【００２９】
RS-485I/F部３０１はRS-485信号線８を接続するためのシリアルインタフェースである。
【００３０】
状態通知受信部３０２はRS-485信号線８を介して管理対象モジュール４のいずれかから接続通知を受信すると、その旨を通信設定送信部３０３に通知する。
【００３１】
通信設定送信部３０３は、状態通知受信部３０２から状態通知の受信を通知されると、その状態通知の送信元の管理対象モジュール４に向けて、予め通信設定格納部３０４に格納された通信設定ファイルを、RS-485信号線８を介して送信する。ここで状態通知とは、未接続であった管理対象モジュール４のひとつがスロット５のいずれかに接続されたことを通知するメッセージである。状態通知はその管理対象モジュール４がスロット５のどれかに接続されたことを管理モジュール３に通知するだけでよく、接続先のスロット５のIDを管理モジュール３に通知する必要はない。
【００３２】
通信設定ファイルには、IDと、そのIDのスロットに接続した管理対象モジュール４に設定すべきIP(Internet Protocol)アドレスとの対応関係がすべてのスロットについて定められている。図６に示す通信設定ファイルの一例では、ID＝１のスロット５１に接続される管理対象モジュール４１に対し、IPアドレスとしてaaa.bbb.ccc.dddを設定する旨が指定されている。
【００３３】
LAN I/F部３０５はLAN信号線７を接続するためのインタフェースである。
【００３４】
通信準備完了通知受信部３０６は、LAN信号線７を介して管理対象モジュール４のいずれかから通信準備完了通知を受信するとその旨を送信元アドレス識別部に通知する。
【００３５】
スロット識別部３０７は通信準備完了通知の送信元のモジュールが接続されたスロットを識別する。後述するスロット設定テーブル格納部３０９に、IPアドレス、パラメータ設定値、処理用プログラムの対応関係を示すテーブルを格納する場合、スロット識別部３０７は、通信準備完了通知を格納したIPパケットのヘッダから送信元IPアドレスを抽出する。
【００３６】
スロット設定判定部３０８は後述するスロット設定テーブルを参照して、識別したスロットに接続した管理対象モジュール４に対し、設定すべきパラメータ設定値、処理用プログラムを判定する。
【００３７】
スロット設定テーブル格納部３０９は、スロットと、そのスロットに接続された管理対象モジュールに対して設定すべきパラメータ設定値と、そのスロットに接続された管理対象モジュールに対して設定すべき処理用プログラムとの対応関係を格納したスロット設定テーブルを記憶する記憶装置である。IDと、パラメータ設定値及び処理用プログラムとの対応関係を示す代わりに、通信設定ファイルにてIDと対応するIPアドレスと、パラメータ設定値及び処理用プログラムとの対応関係を示すテーブルを用いることとしてもよい。
【００３８】
スロット設定テーブルの例を図８に示す。同図のスロット設定テーブルでは、３つのＩＰアドレスのそれぞれについて、その管理対象モジュール４の本体部４０５にて実行する処理用プログラムの名称と、その処理用プログラムのパラメータＸ、Ｙ、Ｚとして設定すべき値とが定められている。例えば、後述する処理用プログラムがウェブサーバの場合、パラメータの例としては、帯域制限設定、アクセス制限設定、ポート番号設定等がある。また、処理用プログラムがメールサーバの場合、パラメータの例としては、送信メールサイズの制限設定、受信メールサイズの制限設定、認証設定、ポート番号設定等がある。
【００３９】
処理用プログラムファイル格納部３１０は、スロット５のいずれかに接続された管理対象モジュールにて実行されるすべての処理用プログラムのプログラムファイルを記憶した記憶装置である。処理用プログラムの例としては、POP(Post Office Protocol)、SMTP(Simple Mail Transfer Protocol)、IMAP(Internet Message Access Protocol)を用いたメールサーバプログラム、HTTP(Hypertext Transfer Protocol)を用いたウェブサーバプログラム、データベースサーバプログラム等のサーバプログラムが考えられるが、本体部４０５で実行可能であれば任意のプログラムでよい。
【００４０】
スロット設定送信部３１１は、送信元のスロットに接続された管理対象モジュールに設定すべきパラメータ設定値及び処理用プログラムファイルを、LAN I/F部３０５及びLAN信号線７を介して、その管理対象モジュールに送信する。
【００４１】
IPアドレス格納部３１２は、管理モジュール３に対して予め設定される管理モジュール３自身のIPアドレスを格納するための記憶装置である。
【００４２】
管理対象モジュール４について図７を参照して更に説明する。管理対象モジュール４はボードコンピュータであり、例えばブレードサーバシステムのブレードである。管理対象モジュール４は、ID読取部４０１、状態通知送信部４０２、RS-485 I/F部４０３、通信設定抽出部４０４、本体部４０５、通信準備完了通知部４０６、LAN I/F部４０７、スロット設定部４０８を備える。
【００４３】
ID読取部４０１は接続されたID信号線１０を介してID設定部９に設定されたIDを読み取る。
【００４４】
状態通知送信部４０２はID読取部がIDを読み取ったことを検知すると、その管理対象モジュール４がスロット５のいずれかに接続されたことを通知する状態通知を、RS-485 I/F部４０３、RS-485信号線８経由で管理モジュール３に送信する。
【００４５】
RS-485 I/F部４０３はRS-485信号線８に接続するためのシリアルインタフェースである。
【００４６】
通信設定抽出部４０４は、管理モジュール３から送出されて、RS-485信号線８、RS-485 I/F部４０３を介して受信した通信設定ファイルの中から、ID読取部４０１にて読み取ったIDに応じたIPアドレスを抽出し、そのIPアドレスを本体部４０５に設定する。また、本体部４０５へのIPアドレスの設定が完了すると、通信準備完了通知部４０６に対してその旨を通知する。
【００４７】
本体部４０５は、管理対象モジュール４の本体部分となるコンピュータであり、CPU(Central Processing Unit)、メインメモリ、固定磁気ディスク装置やSSD(Solid State Drive)等の外部記憶装置、これらを互いに接続するデータバスを備える。更に、本体部４０５にはMicrosoft Windows（登録商標）、Unix（登録商標）、Linux（登録商標）等のOSが予めインストールされている。本体部４０５は、管理モジュール３からLAN信号線７経由で受け取るパラメータ設定値を設定可能であり、また、管理モジュール３からLAN信号線７経由で受け取る処理用プログラムを実行可能なコンピュータでありOSである。本体部４０５は、処理用プログラムを実行するためのプロセッサと、IPアドレス、パラメータ設定値、処理用プログラムを格納するための記憶装置を備える。管理対象モジュール４がスロット５に未装着の状態から、スロット５に装着され、バックプレーン６に接続されて、後述する設定処理が実行された後、本体部４０５は、通信設定抽出部４０６にて抽出されたIPアドレスに基づいて管理モジュール３その他とLAN I/F部４０７、LAN信号線７を介してIP通信を行う。
【００４８】
通信準備完了通知送信部４０６は、通信設定抽出部４０４にて抽出した通信設定の本体部４０５への設定が終了すると、LAN信号線７を介した通信が可能になったことを通知するための通信準備完了通知を、LAN I/F部４０７、LAN信号線７を介して、管理モジュール３に送信する。
【００４９】
LAN I/F部４０７はLAN信号線７に接続するためのインタフェースである。
【００５０】
スロット設定部４０８は、管理モジュール３からLAN信号線７を介して受信したパラメータ設定値を、本体部４０５に設定する。また、スロット設定部４０８は、同様に管理モジュール３からLAN信号線７経由で受信した処理用プログラムのプログラムファイルを用いて本体部４０５にその処理用プログラムをインストールし、その処理用プログラムが本体部４０５で実行可能となるように設定を行なう。
【００５１】
更に、管理対象モジュール４はLAN信号線７、RS-485信号線８及びID信号線１０を収容し、スロット５のいずれかに設けたコネクタと対になる不図示のコネクタを備える。
【００５２】
コンピュータシステム１の好適な例としてはブレードサーバシステムがある。この場合、管理対象モジュール４は所謂ブレードであり、筐体２は所謂エンクロージャであり、筐体２内のバックプレーン６には管理対象モジュール４を一台ずつ接続するためのコネクタを備え、このコネクタに、LAN信号線７、RS-485信号線８及びID信号線１０が一組にまとめられる。
【００５３】
次に、コンピュータシステム１に管理対象モジュール４を新規に接続したときに行なわれる、管理対象モジュール４の設定処理について、図１−８に加えて図９及び図１０を参照して説明する。
【００５４】
当初、管理対象モジュール４１はスロット６のいずれにも接続されていないものとする。ID設定部９１、９２、９３には順にそれぞれID=１、２、３が予め設定されているものとする。通信設定格納部３０４には図６の通信設定ファイルが格納されているものとする。スロット設定テーブル格納部３０９には図８のスロット設定テーブルが格納されているものとする。
【００５５】
コンピュータシステム１の管理者等が管理対象モジュール４１をスロット５１に装着（ステップＳ１）すると、管理対象モジュール４１はバックプレーン６と接続される。これにより、一組になったID信号線１０、RS-485信号線８、LAN信号線７が一括して管理対象モジュール４の対応するインタフェースに接続される。即ち、ID読取部４０１はID信号線１０１に、RS-485 I/F部４０３はRS-485信号線８１に、LAN I/F部４０７はLAN信号線７１にそれぞれ接続される。
【００５６】
ID読取部４０１は、ID信号線１０１を介してID設定部９１からID=１を取得（ステップＳ２）すると、IDの読み取りを行なったことを状態通知送信部４０２に通知する。この通知を受けて、状態通知送信部４０２は、管理対象モジュール４１がスロット５１に装着されたことを示す状態通知を、RS-485 I/F部４０３、RS-485信号線８１を介して、管理モジュール３に送信する（ステップＳ３）。
【００５７】
管理モジュール３において、RS-485 I/F部３０１を介して状態通知受信部３０２が状態通知を受信する（ステップＳ４）と、状態通知受信部３０２は通信設定送信部３０３にその旨を伝え、これを受けて、通信設定送信部３０３は、通信設定格納部３０４に格納されている図６のような通信設定ファイルと、IPアドレス格納部３０５に格納されている、管理モジュール３のIPアドレスとを、RS-485信号線８１経由で送信する（ステップＳ５）。
【００５８】
これに対し、管理対象モジュール４１において、通信設定抽出部４０４は、ID読取部４０１にて読み取ったIDに対応するIPアドレスを通信設定ファイルから抽出（ステップＳ６）し、そのIPアドレスを本体部４０５に設定する（ステップＳ７）。ここでは、通信設定抽出部４０４は図６の通信設定ファイルからID=1に対応するIPアドレスとして、aaa.bbb.ccc.dddを本体部４０５に設定することとなる。この設定が完了すると、通信準備完了通知送信部４０６は、管理対象モジュール４１にてIP通信の準備ができたことを通知する通信準備完了通知を、LAN I/F部４０７、LAN信号線７１を介して、通信設定ファイルとともに送信された管理モジュール３のIPアドレスを宛先として送信する（ステップＳ８）。通信準備完了通知はIPパケットに格納して送信される。尚、ここでは、管理対象モジュール４１の接続先のスロットのIDを含まない通信準備完了通知を送信することを前提としているが、管理対象モジュール４１の接続先のスロットのIDを含む通信準備完了通知を送信することとしてもよい。
【００５９】
LAN I/F部３０５を介して通信準備完了通知受信部３０６が通信準備完了通知を受信すると、スロット識別部３０７はその通信準備完了通知の送信元の管理対象モジュール４がどのスロットに接続されたのかを識別するための情報を取得する（ステップＳ９）。ここでは通信準備完了通知に接続先スロットのIDは含まれていないので、通信準備完了通知を格納したIPパケットのヘッダから送信元IPアドレス、即ちaaa.bbb.ccc.dddを取得する。スロット設定判定部３０８は、スロット設定テーブル格納部３０９に格納されているスロット設定テーブルに基づいて、このIPアドレスに対応する処理用プログラム名を取得する（ステップＳ１０）。図８のスロット設定テーブルに基づいて判定すると設定すべき処理用プログラム名はＰ１である。スロット設定判定部３０８は、処理用プログラム名Ｐ１に基づいて、処理用プログラムファイル格納部３１０から処理用プログラムＰ１のプログラムファイルを取得し、LAN信号線７１を介して管理対象モジュール４１に送信する（ステップＳ１１）。これを受信した管理対象モジュール４１では、スロット設定部４０８により、処理用プログラムＰ１のプログラムファイルに基づいて、処理用プログラムＰ１が本体部４０５で実行可能となるように設定する（ステップＳ１２）。設定が完了すると、スロット設定部４０９は、処理用プログラムＰ１が管理対象モジュール４にて実行可能になったことを通知するための設定完了通知を、ＬＡＮ信号線７１を介して管理モジュール３に送信する。
【００６０】
設定完了通知を受信すると、スロット設定判定部３０８は、上述の処理用プログラム名の取得と同様に、スロット設定判定テーブルに基づいて、ステップＳ９にて通知されたスロットのパラメータ設定値を取得する（ステップＳ１３）。図８のスロット設定テーブルに基づいて判定すると、パラメータＸ、Ｙ、Ｚの設定値はそれぞれｘ１、ｙ１、ｚ１である。スロット設定判定部３０８はパラメータ設定値ｘ１、ｙ１、ｚ１をLAN信号線７１を介して管理対象モジュール４１に送信する（ステップＳ１４）。これを受信した管理対象モジュール４１では、スロット設定部４０８がパラメータ設定値ｘ１、ｙ１、ｚ１を本体部４０５に設定する（ステップＳ１５）。
【００６１】
コンピュータシステム１に管理対象モジュール４を新規に接続すると、上述のような設定処理を行なう。この設定処理は、スロット毎に異なるIDをID設定部９に予め設定し、各スロットに接続された管理対象モジュールに設定すべきIPアドレスを通信設定ファイルとして通信設定格納部３０４に予め格納し、更に、付与されたIPアドレス乃至接続されたスロット毎に管理対象モジュールに設定すべきパラメータ設定値、処理用プログラムを予め設定するという準備をしておけば、以後、管理対象モジュール４を新規にスロット５に接続する際に管理対象モジュール４に対して行なう設定処理を自動化することができる。特に、固定ＩＰアドレスを付与することも可能である。
【００６２】
この自動化による恩恵は、今まで管理対象モジュール４を接続したことがないスロット５に初めて管理対象モジュール４を接続する場合に限らない。既にスロット５に接続されている管理対象モジュール４を外し、代わりに別の管理対象モジュール４を接続する際にも、新しい管理対象モジュール４に対して行なう設定処理を行なう必要があるが、この場合もコンピュータシステム１は上述の設定処理を行なうことが可能であり、このときも自動化の恩恵を受けることができる。
【００６３】
上述の設定動作は、コンピュータシステム１内で同時にひとつの管理対象モジュール４にのみ実行可能なものではなく、複数の管理対象モジュール４に対して同時平行に実行可能な設定動作であることは、上述の説明から当業者には容易に理解できるであろう。上述の説明では、一台の管理対象モジュールを接続したときの設定動作として説明したが、複数台の管理対象モジュールをスロット５に同時に接続した場合は、単に同様の設定動作を同時平行して実行すればよい。このような複数台の管理対象モジュールの同時平行設定が可能なのは、スロット５に初めて管理対象モジュール４を接続する場合に限らず、複数のスロットにおいて管理対象モジュールを交換する場合においても本発明の動作を適用可能である。
【００６４】
更に、コンピュータシステム１では、管理対象モジュールの新規接続や交換以外にも、現に接続中の管理対象モジュールの一部乃至全部を、接続したまま初期化する場合が考えられるが、この場合でも、各管理対象モジュールの設定動作を本発明の方法によって実行することができる。
【００６５】
管理対象モジュール４の交換を行なう際、新たに接続する管理対象モジュール４に、処理用プログラム及びパラメータ設定値が既に設定されている場合がある。例えば、その管理対象モジュール４がかつてスロット５のいずれかに接続されたことがあり、故障等の理由により他の管理対象モジュール４と交換されたときにこうした事態が起こる。上述のように、コンピュータシステム１では、スロット設定テーブルにより処理用プログラム及びそのパラメータ設定値をスロット毎に定めているので、予備機となった管理対象モジュール４が前回と同じスロット５に接続されない限り、同じ処理用プログラム、同じパラメータ設定値が設定されるとは限らない。このような場合に、管理対象モジュール４に設定されている処理用プログラムの入れ替えが必要になる。
【００６６】
処理用プログラムの入れ替えについて図１１を参照して説明する。この動作は、図９、１０を参照して既に説明した動作のうち、ステップＳ９からステップＳ１０の間に、ステップＳ２１からステップＳ２２を追加したものである。他のステップは上述の説明と同様である。また、上述の動作と比較するとスロット設定テーブルの構造が異なる。
【００６７】
ステップＳ９にて送信元の管理対象モジュール４を識別すると、スロット設定判定部３０８は、図１２のようなスロット設定テーブルを参照して、削除する処理用プログラム名を取得（ステップＳ２０）し、その処理用プログラムの削除を要求する処理用プログラム削除通知を、ＬＡＮ信号線７１を介して管理対象モジュール４に送信する（ステップＳ２１）。処理用プログラム削除通知を受信すると、スロット設定部４０９は、指定された処理用プログラムが設定されていれば削除する（ステップＳ２２）。指定された処理用プログラムが設定されていない場合はそのままである。例えば、ステップＳ９において識別した送信元が、ステップＳ７においてＩＰアドレスaaa.bbb.ccc.dddを設定した管理対象モジュール４である場合、スロット設定判定部３０８は、図１２の「削除する処理用プログラム名」に記載されている、処理用プログラムＰ２、Ｐ３の削除を指示する処理用プログラム削除通知を送信することになる。
【００６８】
上記の実施形態の一部又は全部は以下の付記のようにも記載されうるが、これらに限定されるものではない。
【００６９】
（付記１）
それぞれが管理対象となるコンピュータである管理対象モジュール、
前記管理対象モジュールを管理するコンピュータである管理モジュール、
一端が前記管理モジュールに接続された第１の信号線であって、他端が前記管理対象モジュールの一台に接続されるための前記第１の信号線、
前記第１の信号線を互いに識別するための識別子を設定するための識別子設定手段、
一端が前記識別子設定手段に接続された識別子信号線であって、他端が一本の第１の信号線と一組となって管理対象モジュールの一台に接続されるための前記識別子信号線、
前記第１の信号線及び前記識別子信号線の一組が、一台の管理対象モジュールに接続されたとき、前記識別子信号線に接続された前記識別子設定手段から前記識別子を読み出すために、前記管理対象モジュールに設けられた前記識別子読取手段、
前記第１の信号線に管理対象モジュールが接続されたことに係る通知を、当該管理対象モジュールの前記識別子読取手段による前記識別子の読み出しに応じて、前記第１の信号線を介して前記管理モジュールに送信するために、前記管理対象モジュールに設けられた状態通知手段、
管理対象モジュールが接続された第１の信号線に応じて定められる、管理対象モジュールの設定に関する情報を、前記通知の受信に応じて前記通知の送信元である管理対象モジュールに対して送信するために、管理モジュールに設けられた設定送信手段、及び、
管理モジュールから受信した前記設定に関する情報に基づいて管理対象モジュールを設定するために、前記管理対象モジュールに設けられた手段
を備えることを特徴とするコンピュータシステム。
【００７０】
（付記２）
前記設定に関する情報は、管理対象モジュール毎に異なる設定に関する情報を含み、
前記管理対象モジュールは、前記識別子取得手段にて取得した識別子に応じて、前記設定に関する情報の中から自管理対象モジュールの設定に関する情報を抽出する設定抽出手段を備える
ことを特徴とする付記１に記載のコンピュータシステム。
【００７１】
（付記３）
一端が前記管理モジュールに接続された第２の信号線であって、他端が前記管理対象モジュールの一台に接続されるための前記第２の信号線を備え、
前記設定に関する情報は、前記第２の信号線を介して構成されるネットワークにおける各管理対象モジュールのアドレスを含み、
前記設定抽出手段は、前記設定に関する情報から抽出した前記アドレスを前記管理対象モジュールに設定し、
前記管理対象モジュールは、設定されたアドレスに基づいて、前記第２の信号線を介して、前記管理モジュールと通信を行う
ことを特徴とする付記２に記載のコンピュータシステム。
【００７２】
（付記４）
前記管理モジュールは、前記管理対象モジュールの設定に関する情報を、前記第２の信号線を介して前記管理対象モジュールに送信する手段を備え、
前記管理対象モジュールは、前記第２の信号線を介して受信した前記設定に関する情報に基づいて、自管理対象モジュールの設定を行なう手段を備える
ことを特徴とする付記３に記載のコンピュータシステム。
【００７３】
（付記５）
それぞれが管理対象となるコンピュータである管理対象モジュールと、前記管理対象モジュールを管理するコンピュータである管理モジュールとを含んで構成されるコンピュータシステムの管理モジュールとして動作する装置であって、
前記管理対象モジュールの一台と前記管理モジュールとの間を接続するための第１の信号線、及び、前記管理対象モジュールと、前記第１の信号線を識別可能な識別子を設定した識別子設定手段とを接続するための識別子信号線を含む一組の信号線を、一台の管理対象モジュールに接続したことに係る通知を、前記一台の管理対象モジュールから受信する手段、及び、
前記一台の管理対象モジュールが接続された第１の信号線に応じて定められる、管理対象モジュールの設定に関する情報を、前記通知の受信に応じて前記通知の送信元である前記一台の管理対象モジュールに対して送信する手段
を備え、
前記一台の管理対象モジュールは、受信した前記設定に関する情報に基づいて自身の設定を行なう装置。
【００７４】
（付記６）
前記設定に関する情報は、管理対象モジュール毎に異なる設定に関する情報を含み、
前記管理対象モジュールは、前記識別子設定手段から取得した識別子に応じて、前記設定に関する情報の中から自身の設定に関する情報を抽出する
ことを特徴とする付記５に記載の装置。
【００７５】
（付記７）
一端が前記管理モジュールに接続された第２の信号線であって、他端が前記管理対象モジュールの一台に接続されるための前記第２の信号線を接続するためのインタフェースを備え、
前記設定に関する情報は、前記第２の信号線を介して構成されるネットワークにおける各管理対象モジュールのアドレスを含み、
前記管理対象モジュールは、前記設定に関する情報から抽出した前記アドレスを自身に設定し、
前記管理対象モジュールは、設定されたアドレスに基づいて、前記第２の信号線を介して、前記管理モジュールと通信を行う
ことを特徴とする付記６に記載の装置。
【００７６】
（付記８）
前記管理対象モジュールの設定に関する情報を、前記第２の信号線を介して前記管理対象モジュールに送信する手段を備え、
前記管理対象モジュールは、前記第２の信号線を介して受信した前記設定に関する情報に基づいて、自身の設定を行なう
ことを特徴とする付記７に記載の装置。
【００７７】
（付記９）
それぞれが管理対象となるコンピュータである管理対象モジュールと、前記管理対象モジュールを管理するコンピュータである管理モジュールとを含んで構成されるコンピュータシステムの管理対象モジュールとして動作する装置であって、
一端が前記管理モジュールに接続される第１の信号線を接続するためのインタフェース、
前記第１の信号線を互いに識別可能な識別子を設定した設定手段に一端が接続される識別子信号線であって、前記第１の信号線と一組になる前記識別子信号線が接続されて、前記設定手段から前記識別子を読み出す識別子読取手段、
前記識別子読取手段による前記識別子の読み出しに応じて、前記第１の信号線に接続されたことに係る通知を、前記第１の信号線を介して前記管理モジュールに送信する状態通知手段、
前記通知に応答して前記管理モジュールが送信した、前記管理対象モジュールの設定に関する情報を受信する手段、及び、
管理モジュールから受信した前記設定に関する情報に基づいて管理対象モジュールを設定する手段
を備えることを特徴とする装置。
【００７８】
（付記１０）
前記設定に関する情報は、管理対象モジュール毎に異なる設定に関する情報を含み、
前記識別子取得手段にて取得した識別子に応じて、前記設定に関する情報の中から自管理対象モジュールの設定に関する情報を抽出する設定抽出手段を備える
ことを特徴とする付記９に記載の装置。
【００７９】
（付記１１）
一端が前記管理モジュールに接続され、他端が一の前記第１の信号線及び一の前記識別子信号線と一組となって前記管理対象モジュールの一台に接続される前記第２の信号線を接続するためのインタフェースを備え、
前記設定に関する情報は、前記第２の信号線を介して構成されるネットワークにおける各管理対象モジュールのアドレスを含み、
前記設定抽出手段は、前記設定に関する情報から抽出した前記アドレスを前記管理対象モジュールに設定し、
設定されたアドレスに基づいて、前記第２の信号線を介して、前記管理モジュールと通信を行う手段を備える
ことを特徴とする付記１０に記載の装置。
【００８０】
（付記１２）
前記管理対象モジュールの設定に関する情報を、前記第２の信号線を介して前記管理モジュールから受信する手段、及び、
前記第２の信号線を介して受信した前記設定に関する情報に基づいて、自管理対象モジュールの設定を行なう手段
を備えることを特徴とする付記１１に記載の装置。
【００８１】
（付記１３）
それぞれが管理対象となるコンピュータである管理対象モジュールと、前記管理対象モジュールを管理するコンピュータである管理モジュールとを含んで構成されるコンピュータシステムの管理モジュールとして動作するコンピュータで実行されるプログラムであって、
前記管理対象モジュールの一台と前記管理モジュールとの間を接続するための第１の信号線、及び、前記管理対象モジュールと、前記第１の信号線を識別可能な識別子を設定した識別子設定手段とを接続するための識別子信号線を含む一組の信号線を、一台の管理対象モジュールに接続したことに係る通知を、前記一台の管理対象モジュールから受信する手段、及び、
前記一台の管理対象モジュールが接続された第１の信号線に応じて定められる、管理対象モジュールの設定に関する情報を、前記通知の受信に応じて前記通知の送信元である前記一台の管理対象モジュールに対して送信する手段
としてコンピュータを機能させ、
前記一台の管理対象モジュールは、受信した前記設定に関する情報に基づいて自身の設定を行なう、
ことを特徴とするプログラム。
【００８２】
（付記１４）
前記設定に関する情報は、管理対象モジュール毎に異なる設定に関する情報を含み、
前記管理対象モジュールは、前記識別子設定手段から取得した識別子に応じて、前記設定に関する情報の中から自身の設定に関する情報を抽出する
ことを特徴とする付記１３に記載のプログラム。
【００８３】
（付記１５）
一端が前記管理モジュールに接続された第２の信号線であって、他端が前記管理対象モジュールの一台に接続されるための前記第２の信号線を介して構成されるネットワークにおける各管理対象モジュールのアドレスが、前記設定に関する情報に含まれ、
前記管理対象モジュールは、前記設定に関する情報から抽出した前記アドレスを自身に設定し、
前記管理対象モジュールは、設定されたアドレスに基づいて、前記第２の信号線を介して、前記管理モジュールと通信を行う
ことを特徴とする付記１４に記載のプログラム。
【００８４】
（付記１６）
前記管理対象モジュールの設定に関する情報を、前記第２の信号線を介して前記管理対象モジュールに送信する手段としてコンピュータを機能させ、
前記管理対象モジュールは、前記第２の信号線を介して受信した前記設定に関する情報に基づいて、自身の設定を行なう
ことを特徴とする付記１５に記載のプログラム。
【００８５】
（付記１７）
それぞれが管理対象となるコンピュータである管理対象モジュールと、前記管理対象モジュールを管理するコンピュータである管理モジュールとを含んで構成されるコンピュータシステムの管理対象モジュールとして動作するコンピュータで実行されるプログラムであって、
一端が前記管理モジュールに接続され、他端が前記管理対象モジュールのいずれかに接続される第１の信号線を互いに識別可能な識別子を設定した設定手段から、前記第１の信号線と一組になる識別子信号線を介して、前記識別子を読み出す識別子読取手段、
前記識別子読取手段による前記識別子の読み出しに応じて、前記第１の信号線に接続されたことに係る通知を、前記第１の信号線を介して前記管理モジュールに送信する状態通知手段、
前記通知に応答して前記管理モジュールが送信した、前記管理対象モジュールの設定に関する情報を受信する手段、及び、
管理モジュールから受信した前記設定に関する情報に基づいて管理対象モジュールを設定する手段
としてコンピュータを機能させるためのプログラム。
【００８６】
（付記１８）
前記設定に関する情報は、管理対象モジュール毎に異なる設定に関する情報を含み、
前記識別子取得手段にて取得した識別子に応じて、前記設定に関する情報の中から自管理対象モジュールの設定に関する情報を抽出する設定抽出手段
としてコンピュータを機能させるための付記１７に記載のプログラム。
【００８７】
（付記１９）
一端が前記管理モジュールに接続され、他端が一の前記第１の信号線及び一の前記識別子信号線と一組となって前記管理対象モジュールの一台に接続される前記第２の信号線を介して構成されるネットワークにおける各管理対象モジュールのアドレスを前記設定に関する情報は含み、
前記設定抽出手段は、前記設定に関する情報から抽出した前記アドレスを前記管理対象モジュールに設定し、
設定されたアドレスに基づいて、前記第２の信号線を介して、前記管理モジュールと通信を行う手段としてコンピュータを機能させる
ための付記１８に記載のプログラム。
【００８８】
（付記２０）
前記管理対象モジュールの設定に関する情報を、前記第２の信号線を介して前記管理モジュールから受信する手段、
前記第２の信号線を介して受信した前記設定に関する情報に基づいて、自管理対象モジュールの設定を行なう手段
としてコンピュータを機能させるための付記１９に記載のプログラム。
【００８９】
（付記２１）
管理対象となるコンピュータである管理対象モジュールの一台に一端が接続され、前記管理対象モジュールを管理するコンピュータである管理モジュールに他端が接続される第１の信号線、及び、前記第１の信号線を互いに識別可能な識別子を設定した設定手段に一端が接続され、前記管理対象モジュールの一台に他端が接続される識別子信号線を含む信号線の一組が、一台の管理対象モジュールに接続される段階、
前記管理対象モジュールが前記識別子信号線に接続された前記設定手段から前記識別子を読み出す段階、
前記識別子の読み出しに応じて、前記第１の信号線に管理対象モジュールが接続されたことに係る通知を、前記管理対象モジュールから前記第１の信号線を介して前記管理モジュールに送信する段階、
管理対象モジュールが接続された第１の信号線に応じて定められる管理対象モジュールの設定に関する情報を、前記通知の受信に応じて、前記管理モジュールから前記通知の送信元である管理対象モジュールに対して送信する段階、
前記管理モジュールから受信した前記設定に関する情報に基づいて前記管理対象モジュールが自身を設定する段階
を含むことを特徴とするコンピュータ設定方法。
【００９０】
（付記２２）
前記設定に関する情報は、管理対象モジュール毎に異なる設定に関する情報を含み、
前記管理対象モジュールが、前記取得した識別子に応じて、前記設定に関する情報の中から自管理対象モジュールの設定に関する情報を抽出する設定抽出段階を更に含む
ことを特徴とする付記２１に記載のコンピュータ設定方法。
【００９１】
（付記２３）
第２の信号線の一端が前記管理モジュールに接続され、他端が一の前記第１の信号線及び一の前記識別子信号線と一組となって前記管理対象モジュールの一台に接続され、
前記設定に関する情報は、前記第２の信号線を介して構成されるネットワークにおける各管理対象モジュールのアドレスを含み、
前記設定抽出段階は、前記設定に関する情報から抽出した前記アドレスを前記管理対象モジュールに設定し、
前記管理対象モジュールは、設定されたアドレスに基づいて、前記第２の信号線を介して、前記管理モジュールと通信を行う
ことを特徴とする付記２２に記載のコンピュータ設定方法。
【００９２】
（付記２４）
前記管理モジュールは、前記管理対象モジュールの設定に関する情報を、前記第２の信号線を介して前記管理対象モジュールに送信し、
前記管理対象モジュールは、前記第２の信号線を介して受信した前記設定に関する情報に基づいて、自管理対象モジュールの設定を行なう
ことを特徴とする付記２３に記載のコンピュータ設定方法。
【符号の説明】
【００９３】
１  コンピュータシステム
２  筐体
３  管理モジュール
４、４１、４２、…、４ｎ  管理対象モジュール
５、５１、５２、…、５ｎ  スロット
６  バックプレーン
７０、７１、…、７ｎ  LAN信号線
８０、８１、…、８ｎ  RS-485信号線
９１、９２、…、９ｎ  ID設定部
１０、１０１、１０２、…、１０ｎ  ID信号線
３０１  RS-485 I/F部
３０２  状態通知受信部
３０３  通信設定送信部
３０４  通信設定格納部
３０５  LAN I/F部
３０６  通信準備完了通知受信部
３０７  スロット識別部
３０８  スロット設定判定部
３０９  スロット設定テーブル格納部
３１０  処理用プログラムファイル格納部
３１１  スロット設定送信部
３１２  IPアドレス格納部
４０１  ID読取部
４０２  状態通知送信部
４０３  RS-485 I/F部
４０４  通信設定抽出部
４０５  本体部
４０６  通信準備完了通知送信部
４０７  LAN I/F部
４０８  スロット設定部
【図１】
2014203092.tif 000005
【図２】
2014203092.tif 000006
【図３】
2014203092.tif 000007
【図４】
2014203092.tif 000008
【図５】
2014203092.tif 000009
【図６】
2014203092.tif 000010
【図７】
2014203092.tif 000011
【図８】
2014203092.tif 000012
【図９】
2014203092.tif 000013
【図１０】
2014203092.tif 000014
【図１１】
2014203092.tif 000015
【図１２】
2014203092.tif 000016